(57)【要約】【課題】遊技機内において、アース接続のための配線を極力使用することなく、遊技機の組み立ての作業性を向上させ、その製造コストを低減させる。【解決手段】遊技機は、遊技球を案内するガイドレール１１を有する遊技盤４と、遊技盤４を保持する遊技盤保持枠２と、遊技盤４のガイドレール１１と遊技盤保持枠２とを電気的に接続する接続手段５とを備える。接続手段５は、遊技盤４側に設けられ、ガイドレール１１に弾接して電気的に接続される第１接続部材２１と、遊技盤保持枠２側に設けられ、第１接続部材２１に弾接するとともに遊技盤保持枠２に電気的に接続される第２接続部材１２とを備える。【選択図】図４
2014083067.tif 000002
【特許請求の範囲】
【請求項１】
遊技球を案内するガイドレールを有する遊技盤と、遊技盤を保持する遊技盤保持枠と、遊技盤のガイドレールと遊技盤保持枠とを電気的に接続する接続手段とを備え、
接続手段は、
遊技盤側に設けられ、ガイドレールに弾接して電気的に接続される第１接続部材と、
遊技盤保持枠側に設けられ、第１接続部材に弾接するとともに遊技盤保持枠に電気的に接続される第２接続部材と
を備えてなることを特徴とする遊技機。
【請求項２】
第１接続部材は板金を折り曲げて形成され、飾り枠に取り付けられるべき平面状の取付部と、取付部から延びる板金の一端をＵ字状に折り返して形成した、ガイドレールに弾接すべき弾接部と、取付部から延びる板金の他端を略垂直に折り曲げて形成した、第２接続部材が接触する平面状の接触部とを備えるとともに、
第２接続部材は板金を折り曲げて形成され、遊技盤保持枠に取り付けられるべき平面状の取付部と、取付部から屈曲して延びる板金の先端をＵ字状に折り返して形成した、第１接続部材の接触部に弾接すべき弾接部とを備える請求項１に記載の遊技機。
【請求項３】
第１接続部材の弾接部がガイドレールの裏面に弾接するとともに、第１接続部材の接触部が、遊技盤保持枠の内面に対向する姿勢で、遊技盤に取り付けられており、
第２接続部材の取付部が、第１接続部材の接触部が対向する遊技盤保持枠の内面に接触し、第２接続部材の弾接部が、第１接続部材の接触部に向かって延びる姿勢で、遊技盤保持枠に取り付けられていることを特徴とする請求項２に記載の遊技機。
【請求項４】
飾り枠には、第２接続部材の弾接部が弾接する第１接続部材の接触部を裏面側から支える支持構造が、飾り枠の強度を高めるためのリブ構造を兼用して設けられている請求項２又は３に記載の遊技機。
【発明の詳細な説明】
【技術分野】
【０００１】
本発明は、パチンコ機等の遊技機に関する。
【背景技術】
【０００２】
例えば、パチンコ機に使用される遊技球は、金属製のものであり、遊技中に静電気を帯びやすいため、遊技機内部の電気回路や、遊技者に悪影響を及ぼさないように、適宜除電を行う必要がある。
【０００３】
このため、従来の遊技機では、遊技盤に遊技球を案内するガイドレールを金属製のものとするとともに、このガイドレールを接地することにより、遊技球の除電を行っていた。
【０００４】
具体的には、遊技盤のガイドレールに弾接端子を弾接させるとともに、この弾接端子にアース接続のためのリード線を接続している。このリード線は、遊技盤に設けられている飾りユニット内に収納されるとともに、遊技機内の電源装置のアース端子に接続されている。さらに、遊技機は、電源装置に接続される別のリード線を介して、アース接続されている（例えば特許文献１参照）。
【先行技術文献】
【特許文献】
【０００５】
【特許文献１】特許第３８３０８１５号
【発明の概要】
【発明が解決しようとする課題】
【０００６】
上述のように、従来の遊技機では、アース接続のために、飾りユニット内にリード線を導入していたが、このリード線の配線作業が煩雑となっていた。これにより、遊技機の製造コストが高騰していた。
【０００７】
本発明は、このような事情に鑑みてなされたものであり、遊技機内において、アース接続のための配線を極力使用することなく、遊技機の組み立ての作業性を向上させ、もってその製造コストを低減させることを目的とする。
【課題を解決するための手段】
【０００８】
本発明に係る遊技機は、上記の課題を解決するためのものであって、遊技球を案内するガイドレールを有する遊技盤と、遊技盤を保持する遊技盤保持枠と、遊技盤のガイドレールと遊技盤保持枠とを電気的に接続する接続手段とを備え、接続手段は、遊技盤側に設けられ、ガイドレールに弾接して電気的に接続される第１接続部材と、遊技盤保持枠側に設けられ、第１接続部材に弾接するとともに遊技盤保持枠に電気的に接続される第２接続部材とを備えてなることを特徴とする。
【０００９】
かかる構成によれば、ガイドレールに第１接続部材を弾接させ、この第１接続部材に第２接続部材を弾接させ、この第２接続部材を遊技盤保持枠に接続することで、リード線を用いることなく、ガイドレールと遊技盤保持枠とを接続することができる。そして、遊技盤保持枠をアース接続することにより、ガイドレールによって案内される遊技球を除電することができる。
【００１０】
さらに、第１接続部材をガイドレールに弾接させ、第２接続部材を第１接続部材に弾接させることにより、別途連結部材を使用することなく、各部の接続を行うことができるようになる。これにより、接続作業を簡素化し、遊技機の組み立て作業を容易にすることができ、遊技機の製造コストを低減することが可能になる。
【００１１】
また、本発明に係る遊技機によれば、第１接続部材は板金を折り曲げて形成され、飾り枠に取り付けられるべき平面状の取付部と、取付部から延びる板金の一端をＵ字状に折り返して形成した、ガイドレールに弾接すべき弾接部と、取付部から延びる板金の他端を略垂直に折り曲げて形成した、第２接続部材が接触する平面状の接触部とを備えるとともに、第２接続部材は板金を折り曲げて形成され、遊技盤保持枠に取り付けられるべき平面状の取付部と、取付部から屈曲して延びる板金の先端をＵ字状に折り返して形成した、第１接続部材の接触部に弾接すべき弾接部とを備えることが望ましい。
【００１２】
また、本発明に係る遊技機によれば、第１接続部材の弾接部がガイドレールの裏面に弾接するとともに、第１接続部材の接触部が、遊技盤保持枠の内面に対向する姿勢で、遊技盤に取り付けられており、第２接続部材の取付部が、第１接続部材の接触部が対向する遊技盤保持枠の内面に接触し、第２接続部材の弾接部が、第１接続部材の接触部に向かって延びる姿勢で、遊技盤保持枠に取り付けられていることが望ましい。
【００１３】
また、本発明に係る遊技機によれば、飾り枠には、第２接続部材の弾接部が弾接する第１接続部材の接触部を裏面側から支える支持構造が、飾り枠の強度を高めるためのリブ構造を兼用して設けられていることが望ましい。
【図面の簡単な説明】
【００１４】
【図１】図１は、本発明の一実施形態に係る遊技機の全体斜視図を示す。
【図２】図２は、遊技盤及び遊技盤保持枠を示す正面図である。
【図３】図３は、遊技盤及び遊技盤保持枠の一部を示す正面図である。
【図４】図４は、遊技盤の飾り枠、接続手段、ガイドレール及び遊技盤保持枠の一部を背面側から示す斜視図である。
【図５】図５は、第１接続部材の斜視図である。
【図６】図６は、第２接続部材の斜視図である。
【図７】図７は、遊技盤の飾り枠の一部を示す斜視図である。
【発明を実施するための形態】
【００１５】
以下、本発明を実施するための形態について図面を参照しながら説明する。図１〜図７は、本発明に係る遊技機の一実施形態を示す。
【００１６】
本実施形態に係る遊技機は、図１、図２、図４に示すように、矩形状に枠組みされた外枠１と、外枠１に開閉自在に取り付けられる遊技盤保持枠２と、遊技盤保持枠２の外側（前方側）に配置され、遊技盤保持枠２に開閉自在に取り付けられる扉３と、扉３の内側（後方側）に配置され、遊技盤保持枠２に保持される遊技盤４と、遊技盤保持枠２と遊技盤４とを電気的に接続する接続手段５とを備える。なお、扉３には、内部の遊技盤４を視認できるように、透明板（例えばガラス板等）からなる窓部（図示略）が設けられている。
【００１７】
そして、遊技機は、遊技盤４に向けて遊技球を発射させるための発射装置（図示略）を操作するためのハンドル６と、発射装置に供給するための遊技球を貯留する受皿７と、電飾用のランプ８，…と、効果音を発生させるスピーカ９，９とを備える。さらに、遊技機は、各部を制御すべく、主制御部及び副制御部を有する制御部（図示略）と、所定の条件で遊技球を払い出す払出装置（図示略）とを内部に備える。
【００１８】
遊技盤４は、所定の情報を表示する表示装置４ａと、発射装置から発射された遊技球を上部に導くためのガイドレール１１と、遊技球が通過可能なゲート４ｂと、遊技球が入球可能な複数の入球口４ｃと、遊技球を機内に回収するための回収口４ｄと、遊技球がゲート及び各入球口に入球したことをそれぞれ検出する複数の検出部（図示略）と、所定の入球口を開閉させる開閉手段４ｅと、その盤面に装飾を施すための飾り枠１２とを備える。
【００１９】
なお、遊技盤４には、多数の遊技釘（図示略）が打設されており、遊技領域を転動する遊技球、即ち、上部に導かれた遊技球が、複数の遊技釘に衝突を繰り返しつつ、又は遊技釘間を通って下方に落下する。
【００２０】
遊技盤４のガイドレール１１は、通常、内側ガイドレールと外側ガイドレールの１対のガイドレールから構成される。本実施形態では、外側ガイドレール１１が対象となる。  
【００２１】
遊技盤４の飾り枠１２は、複数（図例では３つ）に分割されている。具体的には、飾り枠１２は、遊技盤４の正面視右下側の部位に設けられる第１構成部材１２ａと、この第１構成部材１２ａの上部に接触するとともに遊技盤４の上部に設けられる第２構成部材１２ｂと、この第２構成部材１２ｂに接触するとともに、遊技盤４の正面視左下側の部位に設けられる第３構成部材１２ｃとを有する。この飾り枠１２の第１構成部材１２ａ〜第３構成部材１２ｃを所定位置に設けることによって、遊技盤４の盤面に所定の遊技領域が形成される。この遊技領域は、図２に示すように、飾り枠１２の第１構成部材１２ａ〜第３構成部材１２ｃの縁部によって、略円形に形成されている。飾り枠１２は、このように形成される略円形の遊技領域の周囲を装飾するためのものである。
【００２２】
飾り枠１２の第１構成部材１２ａには、その下部に遊技機の機種、製造番号等が記載された証紙が貼付されている。第２構成部材１２ｂは、第１構成部材１２ａと第３構成部材１２ｃとを連結すべく、遊技盤４の上部において横方向に沿って配置されている。第３構成部材１２ｃは、接続手段５を支持するための支持部１４を有する。この支持部１４については後述する。
【００２３】
接続手段５は、遊技盤保持枠２に設けられる金属製の補強部材１８と遊技盤４のガイドレール１１とを電気的に接続する。この接続手段５は、ガイドレール１１に弾接する金属製の第１接続部材２１と、第１接続部材２１に弾接するとともに遊技盤保持枠２に電気的に接続される金属製の第２接続部材２２とを備える。
【００２４】
第１接続部材２１は遊技盤４側に設けられる。第１接続部材２１は、飾り枠１２の所定の位置に設けられている。具体的には、第１接続部材２１は、遊技盤保持枠２とガイドレール１１との距離が可及的に短くなるような位置（最短位置）に設けられることが望ましい。本実施形態では、第１接続部材２１は、遊技盤保持枠２とガイドレール１１との間隔が他の部分に比べて狭い、遊技盤４の水平方向の端部であって、垂直方向（鉛直方向）の中央部近傍位置に対応する位置に設けられている。第１接続部材２１は、ガイドレール１１に弾接する弾接部２４と、飾り枠１２の第３構成部材１２ｃに形成される支持部１４に取り付けられる取付部２５と、第２接続部材２２が接触する接触部２６とを備える。より具体的には、第１接続部材２１は、板金を折り曲げることによって形成され、飾り枠１２に取り付けられるべき平面状の取付部２５と、取付部２５から延びる板金の一端をＵ字状に折り返して形成した、ガイドレール１１に弾接すべき弾接部２４と、取付部２５から延びる板金の他端を略垂直に折り曲げて形成した、第２接続部材２２が接触する平面状の接触部２６とを備える。
【００２５】
第１接続部材２１の弾接部２４は、図３〜図５に示すように、Ｕ字状又は円弧状に湾曲して形成されている。この弾接部２４は、その湾曲形状に沿って貫通形成された貫通孔２４ａを有する。図３に示すように、弾接部２４の貫通孔２４ａの内側には、ガイドレール１１を遊技盤４に固定するための割ピン２７が位置している。ガイドレール１１は、この割ピン２７によって支持される部位の剛性が他の部位よりも高くなっている。したがって、ガイドレール１１は、第１接続部材２１の弾接部２４が弾接しても、その力による影響を受けることがない。すなわち、ガイドレール１１は、弾接部２４が弾接しても、これによって変形することなく、遊技球を適切な方向に案内できる。また、弾接部２４は、ガイドレール１１の裏面に弾力的に接触している。なお、本実施形態では、発射装置から発射される遊技球が接触するガイドレール１１の一方の面が表面であり、遊技球が接触しない他方の面がガイドレール１１の裏面である。
【００２６】
図４、図５に示すように、弾接部２４の一端部には、飾り枠１２の第３構成部材１２ｃに係止される係止部２８が形成されている。この係止部２８は、弾接部２４がガイドレール１１に弾接した状態で、この状態を安定的に維持すべく、第３構成部材１２ｃに係止されている。
【００２７】
第１接続部材２１の取付部２５は、弾接部２４の他端部（係止部が設けられる端部とは反対側の端部）に設けられている。この取付部２５は、図５に示すように、複数（図例では２つ）の貫通孔２９，３０を有する。具体的には、貫通孔は、径の大きな第１貫通孔２９と、径の小さな第２貫通孔３０とを有する。この取付部２５は、これらの貫通孔２９，３０を介して飾り枠１２の第３構成部材１２ｃに形成される支持部１４に取り付けられる。
【００２８】
第３構成部材１２ｃの支持部１４は、第１接続部材２１の取付部２５を支持する第１支持部１５と、第１接続部材２１の接触部２６を支持する第２支持部１６とを有する。この支持部１４は、飾り枠１２の一部である第３構成部材１２ｃに形成されるリブ構造を利用したものである。
【００２９】
図７に示すように、第１支持部１５は、第３構成部材１２ｃの背面側から後方に突出する第１突起部３１と第２突起部３２とを有する。第１突起部３１は、筒状に構成される。筒状の第１突起部３１は、その内面に雌ねじを有するねじ孔３１ａを有する。第１接続部材２１の取付部２５は、第１突起部３１のねじ孔３１ａに第１接続部材２１の第１貫通孔２９を一致させ、ボルトやねじ等の固定部材を、第１貫通孔２９を通じてねじ孔３１ａに螺合させることによって、第１支持部１５に固定される。
【００３０】
第２突起部３２は、円柱状に構成される。第１接続部材２１の取付部２５は、第２貫通孔３０に第２突起部３２が挿通されることによって、この第２支持部１６に対して位置決めされる。
【００３１】
このように、第１接続部材２１は、取付部２５が第１突起部３１に固定されることによって、前後方向にずれないように飾り枠１２の第３構成部材１２ｃに固定される。さらに、第１接続部材２１は、第２突起部３２に支持されることによって、第１支持部１５を中心として回転する方向にずれないように、第３構成部材１２ｃに固定（回り止め）される。
【００３２】
第１接続部材２１の接触部２６は、平板状に構成されている。この接触部２６は、取付部２５に対してほぼ直角に折曲されて構成される。また、飾り枠１２の第３構成部材１２ｃに形成される第２支持部１６は、図７に示すように、第１接続部材２２の接触部２６の一方の面に接触する第１接触面１６ａと、接触部２６の他方の面に接触する第２接触面１６ｂとを有する。第２支持部１６は、第１接触面１６ａと第２接触面１６ｂとによって接触部２６を挟持することによって、この接触部２６を支持している。このように支持されることにより、接触部２６は、その一方の面が遊技盤保持枠２の内面に対向する姿勢で、遊技盤に保持されることになる。以上のように、支持部１４（第１支持部１５，第２支持部１６）からなる第１接続部材２１の支持構造（特に接触部２６を第３構成部材１２ｃの裏面側から支持する支持構造）は、飾り枠１２の一部としての第３構成部材１２ｃに形成されるリブ構造と兼用されている。これにより、第１支持部材２１を支持することで、飾り枠１２の強度をより一層高めることができる。
【００３３】
第２接続部材２２は、遊技盤保持枠２側に設けられる。第２接続部材２２は、第１接続部材２１と対向するように遊技盤保持枠２に設けられている。すなわち、第１接続部材２２は、第１接続部材２１と対向する遊技盤保持枠２の位置に設けられている。第２接続部材２２は、第１接続部材２１に弾接する弾接部３４と、遊技盤保持枠２に取り付けられる取付部３５とを有する。より具体的には、第２接続部材２２は板金を折り曲げることによって形成され、遊技盤保持枠２に取り付けられるべき平面状の取付部３５と、取付部３５から屈曲して延びる板金の先端をＵ字状に折り返して形成した、第１接続部材２１の接触部に弾接すべき弾接部３４とを備える。
【００３４】
第２接続部材２２の弾接部３４は、第１接触部材２１の接触部２６に向かって延びる姿勢で、取付部３５を介して技盤保持枠２に取り付けられている。第２接続部材２２の弾接部３４は、図４、図６に示すように、取付部３５から所定の方向に突出する突出部として構成される。弾接部３４は、取付部３５から突出する第１突出部３７と、第１突出部３７から突出する第２突出部３８とを有する。
【００３５】
第１突出部３７は、所定の角度で傾斜して取付部３５から突出している。第１突出部３７は、平板状に構成される。第２突出部３８は、円弧状に構成されている。第２突出部３８は、その円弧の凸面が第１接続部材２１の接触部２６に接触している。第２接続部材２２は、第２突出部３８が第１接続部材２１の接触部２６に接触した状態で、第１突出部３７が弾性変形することによって、第１接続部材２１に弾接している。
【００３６】
第２接続部材２２の取付部３５は、図６に示すようにほぼ長方形状の板状に構成される。取付部３５には、複数の貫通孔３５ａが形成されている。取付部３５は、第１接続部材２１の接触部２６が対向する遊技盤保持枠２の内面に接触し、この位置で固定されている。また、この取付部３５は、遊技盤保持枠２に設けられた金属製の補強部材１８に取り付けられる。補強部材１８は、遊技盤保持枠２の内面の一部を構成する要素である。
【００３７】
より具体的には、遊技盤保持枠２の補強部材１８は、長尺状に構成されている。補強部材１８は、所定のアース線を介して接地されている。また、補強部材１８は、第２接続部材２２を支持する支持部４０を備える。支持部４０は、図４に示すように、複数のねじ孔４１を有する。第２接続部材２２は、第２接続部材２２の取付部３５に形成される貫通孔３５ａと、この支持部４０のねじ孔４１とを一致させるとともに、ボルト、ねじ部材その他の固定部材によって、補強部材１８に固定される。
【００３８】
以上説明した本発明に係る遊技機によれば、ガイドレール１１に第１接続部材２１を弾接させ、この第１接続部材２１に第２接続部材２２を弾接させ、この第２接続部材２２を遊技盤保持枠２に接続することで、リード線を用いることなく、ガイドレール１１と遊技盤保持枠２とを接続することができる。そして、遊技盤保持枠２に設けられる金属製の補強部材１８をアース接続することにより、ガイドレール１１によって案内される遊技球を除電することができる。
【００３９】
さらに、第１接続部材２１をガイドレール１１に弾接させ、第２接続部材２２を第１接続部材２１に弾接させることにより、別途連結部材を使用することなく、各部の接続を行うことができるようになる。これにより、接続作業を簡素化し、遊技機の組み立て作業を容易にすることができ、遊技機の製造コストを低減することが可能になる。
【００４０】
また、飾り枠１２の支持部１４によって第１接続部材２１を支持することによって、別途の支持部１４材を用いる必要がなくなる。したがって、遊技機の部品点数を低減でき、これによる遊技機の製造コストの低減化を実現できる。
【００４１】
また、第１接続部材２１の弾接部２４がガイドレール１１に接触する方向は、遊技盤４盤面に沿う方向であって、盤面に対して鉛直な方向ではない。同様に、第２接続部材２２の弾接部３４が第１接続部材２１の接触部２６に接触する方向は、遊技盤４の盤面に沿う方向であって、盤面に鉛直な方向ではない。従って、第１接続部材２１及び第２接続部材２２納入時の部品ばらつきや、経年劣化等によって、第１接続部材２１の弾接部２４及び第２接続部材２２の弾接部３４の弾性が変化したとしても、遊技盤４の遊技盤保持枠２に対する相対位置が水平方向に変化するだけですむ。即ち、遊技盤４の盤面を落下する遊技球の挙動に大きな影響を与える窓部と遊技盤４の盤面との間隔が変化することはなく、この間隔を一定に維持することができる。
【００４２】
なお、本発明は上記の実施形態に限定されず、種々の変更・変形が可能である。
【００４３】
例えば、上記の実施形態では、接続手段５を第１接続部材２１と第２接続部材２２の２つの部材で構成した例を示したが、これに限定されず、例えば、第２接続部材２２の取付部３５を、第１接続部材２１に形成することによって、第１接続部材２１のみで、ガイドレール１１と遊技盤保持枠２の補強部材１８とを電気的に接続することも可能である。
【００４４】
また、遊技機の構成に応じて、例えば、第１接続部材２１と第２接続部材２２との間に、第３接続部材を介在させてもよい。すなわち、接続手段５を３つ以上の接続部材によって構成してもよい。
【００４５】
上記の実施形態では、遊技盤保持枠２に設けられた金属製の補強部材１８に接続手段５の第２接続部材２２を接続した例を示したが、これに限らず、遊技盤保持枠２に他の金属製の部材を設け、この部材と第２接続部材２２とを電気的に接続してもよい。
【符号の説明】
【００４６】
１…外枠、２…遊技盤保持枠、３…扉、３ａ…窓部、４…遊技盤、４ａ…表示装置、４ｂ…ゲート、４ｃ…入球口、４ｄ…回収口、４ｅ…開閉手段、５…接続手段、６…ハンドル、７…受皿、８…ランプ、９…スピーカ、１１…ガイドレール、１２…飾り枠、１２ａ…第１構成部材、１２ｂ…第２構成部材、１２ｃ…第３構成部材、１４…支持部、１５…第１支持部、１６…第２支持部、１６ａ…第１接触面、１６ｂ…第２接触面、１８…補強部材、２１…第１接続部材、２２…第２接続部材、２４…弾接部、２４ａ…貫通孔、２５…取付部、２６…接触部、２７…割ピン、２８…係止部、２９…第１貫通孔、３０…第２貫通孔、３１…第１突起部、３１ａ…ねじ孔、３２…第２突起部、３４…弾接部、３５…取付部、３７…第１突出部、３８…第２突出部、４０…支持部、４１…ねじ孔
【図１】
2014083067.tif 000003
【図２】
2014083067.tif 000004
【図３】
2014083067.tif 000005
【図４】
2014083067.tif 000006
【図５】
2014083067.tif 000007
【図６】
2014083067.tif 000008
【図７】
2014083067.tif 000009